(57)【要約】  信号を検出するためのバイオセンサを設けられるとともにユーザの頭部と接触するメガネが記載されており、そのメガネは、それぞれのレンズ（４）を支えるためのフロントフレーム（２）と、横方向に対向する両側でフレーム（２）に関節状に連結された一対の側面（６）と、鼻支持装置（８）と備えており、鼻の表面と接触するために一対のセンサ（１０ａ、１１ａ）が鼻支持装置（８）内に一体化され、鼻の鼻梁のゾーン内で顔の表面と接触するために第３センサ（１２）が鼻支持装置（８）の中央に装着され、両側面（６）のそれぞれは、端部側方部へ延びる側面本体（６ａ）を備え、その端部側方部には頭部に接触する特定のセンサが一体化されている。【選択図】図１Ａ
2020502589.tif 000002
【特許請求の範囲】
【請求項１】
ユーザの頭部に接触して信号を検出するバイオセンサが設けられたメガネであって、
それぞれのレンズ（４）を支持するフロントフレーム（２）と、横方向に対向する両側において前記フレームに関節状に連結される一対の側面（６）と、鼻支持装置（８）とを備え、
前記鼻支持装置は、構造的には前記フロントフレームから独立するとともに前記フレームに着脱自在に連結可能であるフレームワーク（９）を備え、
互いに向かい合う第１および第２鼻支持エレメント（１０、１１）は、前記フレームワーク（９）上に設けられ、前記第１および第２鼻支持エレメント内には鼻の対応する横対向ゾーンと表面接触可能である第１および第２鼻センサ（１０ａ、１１ａ）が一体化され、第３センサ（１２）は、前記鼻の鼻梁のゾーン内で顔の表面と接触するために、前記フレームワーク（９）の中心にかつ前記第１および第２センサ（１０ａ、１１ａ）から一定距離を置いて装着され、
前記第１、第２、および第３センサ（１０ａ、１１ａ、１２）は、弾性的に撓みやすい導電性の材料からなることを特徴とする、メガネ。
【請求項２】
請求項１に記載のメガネにおいて、前記第１、第２、および第３センサ（１０ａ、１１ａ、１２）は、エラストマーまたはゴムからなる、メガネ。
【請求項３】
請求項１または２に記載のメガネにおいて、前記フレームワーク（９）は、相互に向かい合うとともに中央の横材（１４）を用いて一端部で相互接続される一対のアーム（１３）を備え、対応する前記鼻支持エレメント（１０、１１）が前記アームのそれぞれに設けられ、前記第３センサ（１２）が前記横材（１４）から一定距離を置いて前記アーム（１３）の間にブリッジの形で延び、前記第３センサ（１２）が前記フレームワークの前記アーム（１３）のそれぞれにその対向端部で不動に連結されている、メガネ。
【請求項４】
請求項３に記載のメガネにおいて、第１および第２アーム部（１８、１９）が前記横材（１４）からの前記アーム（１３）のそれぞれに設置され、前記アーム部（１８、１９）より大きなアーム領域（２０）が前記アーム部（１８、１９）の間に設けられ、前記領域（２０）は、前記第１および第２アーム部（１８、１９）に対向する外見上の肩部（２０ａ、２０ｂ）のそれぞれを規定し、前記第３センサ（１２）の対応する前記端部（１２ａ、１２ｂ）は、前記第１および第２アーム部に対して当接し、前記第３センサは、前記第１アーム部（１８）と、前記第２アーム部（１９）に連結されて対応する前記鼻センサ（１０ａ、１１ａ）とに連結されている、メガネ。
【請求項５】
請求項４に記載のメガネにおいて、前記第３センサ（１２）の前記端部（１２ａ、１２ｂ）のそれぞれは、より大きな前記領域の対応する前記肩部（２０ａ）と中央の前記横材（１４）の対向支持面（２０ｃ）との間で、前記フレームワークのアーム（１３）のそれぞれの前記第１部（１８）に載って保持されている、メガネ。
【請求項６】
請求項４または５に記載のメガネにおいて、前記フレームワーク（９）の前記アーム（１３）のそれぞれの前記第２部（１９）は、より大きな前記領域に長手方向に対向する自由端（１３ａ）を有し、前記フロントフレーム（２）内に設けられた台座（２２）の対応する位置に収容かつ保持され得る肢（２１）を備えている、メガネ。
【請求項７】
請求項１〜６のいずれか一項に記載のメガネにおいて、前記フレーム（９）と前記センサ（１０ａ、１１ａ、１２）は、射出成形技術を用いて作られ、前記第１、第２、および第３センサは、前記フレームワークにオーバーモールドされている、メガネ。
【請求項８】
請求項１〜６のいずれか一項に記載のメガネにおいて、前記フレームワーク（９）と前記第１、第２、および第３センサ（１０ａ、１１ａ、１２）は、射出成形を用いて別々に作られ、前記センサは、前記フレームワークの前記アーム（１３）のそれぞれの前記第１および第２部（１８、１９）が相当に確動的な嵌め合いで通過可能である管状のキャビティを規定する貫通開口（２３）をそれぞれ有する、メガネ。
【請求項９】
請求項４〜６のいずれか一項に記載のメガネにおいて、前記アーム（１３）のそれぞれの前記第２部（１９）には、対応する前記第１および第２鼻センサ（１０ａ、１１ａ）の回転を防止するためのエレメントの形で前記第２部の側面から突出する突起が設けられている、メガネ。
【発明の詳細な説明】
【技術分野】
【０００１】
本発明は、主請求項すなわち請求項１のプリアンブル（前提部）で述べられた特徴を有する、バイオセンサを備えたメガネ（眼鏡）に関する。
【背景技術】
【０００２】
本発明は、フロントフレームおよび／またはその側方面（側面）に一体化（集積）されたバイオセンサを備えるメガネの特定技術分野に入り、用語「バイオセンサ」は、頭（頭部）の表面の一定（特別）ゾーン（区域）において局所（集中）的なセンサ接点を用いて生活機能、例えば脳機能に関する電気信号を検波（検出）するためのセンサを意味する。
【０００３】
メガネのフレームに関してこのタイプ（種）のセンサの使用は普及しており、その普及は、具体的には、一般に生活機能、特に脳機能の診断（分析）に由来（派生）する、将来実現する可能性を秘めた優れたアプリケーションによる。実際に、このタイプのセンサにより、例えば、脳波（脳波記録法）の変化、眼（電気眼球図記録法）の位置、眼の周りの筋肉（筋電図検査法）の収縮、および心機能（心電図記録法）を検出することが可能になる。
【０００４】
フレームに適切に一体化されたセンサを用いて、そのセンサとユーザの頭部との間の局所的な接点の結果として容易に検出可能なこれらの機能の状態（様子）を自覚（認識）することにより、必要なら人の健康および安全を危険にさらす状況（境遇）を消（抑制）しまたは知らせるために、人の精神的身体的な状態を管理（制御）および監視（モニタ）するための行動（処置）を取ることが可能になる。そして、ストレス状態、および、もっと一般的には疲労状態、例えば、仕事、スポーツ、およびレクリエーション活動を行うときに生じる恐れがある疲労状態のモニタリング（監視）を実行することが可能になる。
【発明の概要】
【発明が解決しようとする課題】
【０００５】
この文脈では、発明の主要な目的は、バイオセンサを設けられたメガネを提供することであり、当該メガネの構造および機能は、メガネの十分な信頼性および効果的な働き（使い易さ）と、メガネを頭部に装着する際の、詳細には、センサが頭部と局所的に接触する場合のほどよい安心感（快適さ）とを確保しつつ、センサの製造および当該センサのメガネへの組付けを容易にするために、先行技術において公知の技術的な解決策、詳細には、フレーム部品へのセンサの一体化に関する課題に結び付けられる解決策を改善（改良）するように意図されている。
【０００６】
以下で明確になるであろうこの目的および他の目的は、バイオセンサを備えたメガネを用いて本発明により達成され、当該メガネは添付の請求項に従って生み出（製造）される。
【図面の簡単な説明】
【０００７】
本発明の特徴および利点は、多くの好適な実施の形態に関する以下の詳細な説明から、より明確になり、当該実施の形態は、添付の図面を参照して非限定的な例として示されている。
【図１】本発明に係るメガネの正面図である。
【図１Ａ】図１のメガネの斜視図である。
【図２】図１のメガネの側面図である。
【図３】図１のメガネの平面図である。
【図３Ａ】図３のＩＩＩ−ＩＩＩ線に従った断面図である。
【図４】前述の図のメガネの一部断面かつ一部除去の斜視図である。
【図５】前述の図のメガネの詳細な拡大斜視図である。
【図６】前述の図のメガネの詳細な拡大斜視図である。
【図７】図５の詳細な正面図である。
【図８】図７のＶＩＩＩ−ＶＩＩＩ線に従った断面拡大図である。
【図９】図５の詳細な構成要素（部品）の斜視図である。
【図１０】図５の詳細な構成要素（部品）の斜視図である。
【図１１】図５の細部（小部品）を作り出すステップに関する概略的な斜視図である。
【図１２】図５の細部（小部品）を作り出すステップに関する概略的な斜視図である。
【図１３】図１のメガネの両側方面のうち一方の側面図である。
【図１４】図１のメガネの両側方面のうち一方の側面図である。
【図１４Ａ】図１３の側方面の平面図である。
【図１５】図１４のＸＶ−ＸＶ線に従った断面図である。
【図１６】図１４のＸＶＩ−ＸＶＩ線に従った断面図である。
【図１７】図１３の側面における小部品の側面図である。
【図１８】図１７のＸＶＩＩＩ−ＸＶＩＩＩ線に従った断面図である。
【図１９】インナーフレーム側の詳細の一部断面の斜視図である。
【図２０】インナーフレーム側の詳細の一部断面の斜視図である。
【図２１】図１９および図２０のフレーム詳細の一部遠近かつ一部組付けの拡大図である。
【図２２】前述の図のメガネ全体の分解斜視図である。
【図２３】前述の図のメガネに一体化された撓みやすい電気回路の実施の形態の概略図である。
【図２４】前述の図のメガネのフレームに収容されるように意図された電子モジュールの拡大図である。
【図２５】電源供給のため、プリント回路基板に関連付けられるバッテリの拡大図であり、当該バッテリおよびプリント回路基板とは、前述の図のメガネフレームに収容されるように意図されている。
【図２６】前述の図のメガネの一部が分離された一部斜視図である。
【発明を実施するための形態】
【０００８】
上述の図を参照すると、符号１は全体としてメガネを示し、当該メガネはバイオセンサを備え、本発明に従って形成される。
【０００９】
メガネは、対応するレンズ４を支持するための一対のそれぞれのリム３を有するフロントフレーム２を備えており、当該リムは、鼻部（鼻部分）に延びるブリッジ（山）５によって中央で互いに連結（接続）されている。符号６は、メガネの両側面（側方面）を示し、当該両側面は、フレーム２の側方対向面に設けられたそれぞれのヨロイ７でヒンジ留め（枢着）されている。
【００１０】
メガネには、鼻に寄り掛かり（載り）耳の後部（後方）ゾーン内に載るフレームの中央領域に設置されたバイオセンサが設けられている。この文脈では、「バイオセンサ」という用語は、人の生活機能に関する、例えば、脳波、心臓拍動（心拍）、または他の生命維持に必要なパラメータに関する電気信号を検出するように設計されたあらゆるセンサを意味するように理解される。
【００１１】
従って、以下で明確になるように、センサは、電気信号を検出するために皮膚と接触する電極として機能するように設計されるとともに、フレームに設けられた電気信号伝導体（導体）のシステムを用いて、検出された信号を管理するための回路ユニットに設けられた電子モジュールに当該電気信号を転送するように設計されている。
【００１２】
メガネには鼻支持装置８が設けられており、当該鼻支持装置は、構造的にフロントフレーム２から独立し前記フレームに着脱自在に連結（接続）できるフレームワーク（骨組）９を備えている。
【００１３】
第１および第２鼻支持エレメント１０、１１は、相互に対向するようにフレームワーク９に設けられており、当該鼻支持エレメントのそれぞれには第１および第２鼻センサ１０ａ、１１ａが一体化されており、それらの鼻センサは、鼻の対応する側方対向ゾーン（帯域）と表面接触できる。
【００１４】
符号１２によって表示された第３センサは、フレームワーク９の中央に、センサ１０ａ、１１ａの上方に、かつ、それらから所定の間隔を置かれて設けられており、メガネを装着する（掛ける）と鼻の鼻梁（はなすじ、眉間から鼻の先までの部分）で、すなわち、頭部の「眉間」の真下で顔との表面的な接触を始める（にはいる）ようになっている。
【００１５】
センサ１０ａ、１１ａ、１２は、有利には、電気的な伝導性を有し弾性的に撓みやすい材料、例えば、電導性のエラストマーまたはゴムから作られており、一方では支持装置との接触に関して快適さを確保するとともに適応性に適合するようにし、他方ではそれぞれの信号を検出するためにセンサが電極機能を果たす（実行する）ようにしている。
【００１６】
更に詳細には、フレームワーク９は、中央の板状の横材（交差材）１４から等方向に延びるとともに当該横材によって相互に連結された一対の対向アーム１３を備えており、ネジ１６を使ってフロントフレーム２の内側に、すなわち、メガネを掛けたときにユーザの顔に対向する側にフレームワーク９を堅固に締結するために横材１４には貫通孔１５が設けられている。
【００１７】
代替の変形では、フレームワーク９をフロントフレーム２に固定するためのネジ１６は、異なる位置、例えば、フレームの下部に設けることが可能であり、ネジ１６の縦方向（長手方向）の軸が、図７の中心線Ｘと平行であるようになっている。この場合、ネジ１６が通過するためにフレームワーク９に作られた孔１５の縦方向の軸は、軸Ｘとも平行である。また、ブリッジ５内に作られるとともにネジ１６を固定するための対応する孔は、軸Ｘとも平行である。このような構成では、それぞれの下部においてブリッジ５およびフレームワーク９のそれぞれの幾何図形的配列（形状）および厚さは、好適な実施の形態に関して図示されたそれらのものに対して適宜変更（部分的に変更）されなければならず、ネジの挿入および締め付けを許容するようにフレームワークおよびブリッジにおいて十分に広範囲に渡って大量材料を得るようにしている。
【００１８】
アーム１３は、相称（対称）の正中面に対して鏡面対称を有しており、その鏡面対称は図７の中心線Ｘによって表示されている。この対称性のために、アーム１３のうちの一方のみが記述されるだろう。
【００１９】
特定の鼻支持エレメント１０（１１）は、それぞれのアーム１３に装着されており、センサ１２（この文脈では「眉間センサ」として適切に言及されることもある）は、鼻の鼻梁のゾーンとの支持装置の接触のままでいることを確保するために、アーム１３の間でブリッジの形で延びるとともに（メガネを装着した時に顔に向かって突出する）横材１４から所定の間隔を置いて配置された状態のままである。前記センサ１２はまた、その２つの対向端部１２ａ、１２ｂでフレームワークのそれぞれのアーム１３に一体的に接続（連結）されている。
【００２０】
図において明確に示されるように、対応するセンサが一体化された鼻支持エレメント１０ａ、１１ａのそれぞれは、鼻の両側に心地良く（楽に）寄り掛かるように「小さな鼻パッド（蝶）」として成形されており、眉間センサ１２は、今度は、鼻の鼻梁との有効かつ快適な接触を確保するために成形された「鞍状物（サドル）」である。
【００２１】
符号１８、１９によって表示される第１および第２アーム部はそれぞれ、横材１４に繋がる端部１３ａから出発するアーム１３のそれぞれに設置されており、両アーム部の間にはアーム接続部分２０が介在されており、当該横材は、アーム部１８、１９よりも大きい（前記アーム部の縦の延長方向に対して横切る方向のサイズ（寸法）が考慮されている）。前記接続部分２０は、アーム部１８、１９の上に、それぞれの外見上の肩部２０ａ、２０ｂを規定（郭成）しており、眉間センサ１２の対応端部１２ａ（１２ｂ）であってアーム部１８に連結されている端部と、部位１９に連結されている対応鼻センサ１０ａ（１１ａ）とをそれぞれ肩部に対して停止可能である。
【００２２】
センサ１２の各端部１２ａ、１２ｂは、肩部２０ａと、アームの上端部１３ａにおいて横材によって設けられた対向支持面２０ｃとの間で対応アーム１８上に保持されている。
【００２３】
フレームの対応リム３内に設けられた台座（座面）２２に収容かつ保持可能である特定の肢（脚部）２１は、アーム１３の自由端の近くで第２部位１９内に設けられている。
【００２４】
好適な実施の形態では、フレームワーク９と、センサ１０ａ、１１ａのそれぞれを形成する鼻支持エレメント１０、１１と、センサ１２とは、射出成形プラスチック材を用いて形成されており、更に詳細には、全てのセンサは、フレームワーク上にオーバーモールドされている。
【００２５】
製造プロセスは、有利には、その構造による中程度の弾性変形をするフレームワークが硬質プラスチック材の射出成形を用いて形成される第１ステップを提供している。次の第２ステップにおいて、センサ１０ａ、１１ａ、１２は、導電性エラストマー材または導電性ゴムの対応位置においてフレームワーク９に直接的にオーバーインジェクトクト（過度注入）されている。
【００２６】
１つの変形では、センサ１０ａ、１１ａ、１２は、射出成形を用いて再び、お互いかつフレームワーク９から別々（個別）に形成可能である。
【００２７】
センサは、貫通開口２３の形でキャビティ（空孔）を備える取付部分を有するように形成されており、その貫通開口にはフレームワークにおけるアームの対応する部分１８、１９が相当に確動的（強制的）な嵌合で係合して（噛み合って）いる。
【００２８】
この場合、方法は、上述のような第１ステップを提供しており、その構造による中程度の弾性変形をするフレームワーク９は、その第１ステップにおいて硬質プラスチック材を使用した射出成形を用いて形成されている。
【００２９】
前記第１ステップの後に、フレームワークから分離して導電性エラストマーを使ってセンサが射出成形される第２ステップが続く。次のステップでは、センサはその時にフレームワークの対応アームに装着され、相対的なスライド（摺動）移動を用いて嵌合されており、アームの部位が、対応する連結位置に到達するまで、取付開口２３に係合している。図１１および図１２は、センサがフレームワークに連結される上記の方法ステップを図式的に示している。
【００３０】
この文脈では、プラスチック材料分野において現在利用可能なものから選択された熱可塑性エラストマーを使用することは有利かもしれない。熱可塑性エラストマーには、例えば、フィンランド企業、ＰＲＥＭＩＸによって製造され、熱可塑性ポリマーに基づかれ、カーボンブラックのような適切な添加剤の使用によって導電性化された「Ｐｒｅ−Ｅｌｅｃ（登録商標）  ＴＰＥ  １５０２」として知られる材料を含む。
【００３１】
実際のところ、それと同時に「Ｐｒｅ−Ｅｌｅｃ（登録商標）  ＴＰＥ  １５０２」は、本発明を実施するために基本的に必要とされる全ての技術特性に適した重要性（有用性、価値）を有している。これらの特性には、高い導電性、明確な傾向を示す低率の弾性（弾力性）および表層硬度、中程度の柔軟さ（柔らかさ）および弾性コンプライアンスが含まれる。
【００３２】
前述の材料が、ここで提案された本発明を実施するために使用可能なエラストマーのうち唯一の例であること、および、本発明が、プラスチック材料分野において利用可能であるとともに「Ｐｒｅ−Ｅｌｅｃ（登録商標）  ＴＰＥ  １５０２」と同等な（に相当する）技術的特徴を有する他の代替材料を使うことによって実施可能でもあることが理解される。
【００３３】
他の変形においては、センサは、鋳造（一体成形）によって形成可能である。
【００３４】
符号２４は、対応するアームの各部１９において突起を規定し、当該突起は、前記部の側面（外形）から突出するとともに前記部位に装着されたそれぞれの鼻支持センサに対して回転防止エレメントとして機能を果たす。
【００３５】
ひとたびセンサがフレームワーク９に形成され組み立てられると、前記フレームワークはフロントフレーム２に接続（連結）される。
【００３６】
凹部（凹み）２ａは、ブリッジ５におけるフレーム内に設けられるとともに、ブリッジの下に延びるリム部３の一部に沿って設けられている。前記凹部２ａは、図４に示されるように、対応するフレームゾーンの表面に凹み（陥没）として形成されており、そのアームと共にフレームワーク９を受け入れる（収容する）ように成形されている。前記フレームワークは、フレームに係合するとともに孔１５を貫通する締結ネジ１６を用いて固定されており、フレームワークのアームの端部において肢２１はまた、フレームの台座２２内に収容および保持されている。
【００３７】
固定シーケンスにおいて、肢２１は前もってそれぞれの台座２２に挿入されている。この点に関しては、フレームワーク９は、アーム１９の下部において、装着幅より大きい、すなわち、ひとたびフレームワークがフレームに組み立てられた場合に測定される有効（実効）幅より大きい名目幅（対向する肢の間の距離）を有するように形成されている。このようにして、フレームワークは、（互いに向けて動くアームを圧縮することによって）弾性的に「予負荷（プレロード）」されており、予負荷は、ひとたびフレームワークに適用されると、フレームのリムのそれぞれの部分より下方にある２つの端部を、弾性復帰により互いに向けて移動させる傾向があり、したがって、肢２１がそれぞれの台座２２において連結かつ保持されることを確実にする。
【００３８】
ひとたび肢２１が台座２２に挿入されると、フレームワークはその時に締結ネジ１６の利用によりフレームに連結される。
【００３９】
フレームワーク９を製造するために使用可能である材料に関しては、種々なタイプ（種類）のプラスチック材は適切である。非限定的な例として、ポリアミド系プラスチック材が挙げられ（「Ｇｒｉｌａｍｉｄ（登録商標）  ＴＲ  ９０」として商業的に公知の材料を含む）、または、ポリプロピレン系プラスチック材が挙げられ得る。
【００４０】
加えて、正面（最前部）と（この文脈では後述される）両側面との製造に関して、フレームワーク９を製造するために使用される可能性のある列挙材料を含めて、種々のタイプのプラスチック材を使用可能であることは有利である。
【００４１】
センサは、生活機能に関する若干の特定のタイプの「生体信号」または電気信号を検波するために信号に対して特に敏感になる必要があるので、起こり得ることは、導電性エラストマーの電気伝導性の程度が、前記エラストマーからなるバイオセンサが適切に機能を果たすと保証するのに十分に高くないことである。その問題が生じるのは、例えば、著しく低い強度で特徴付けられた生体信号を検出する時、特に他の付随する生体信号すなわちそれと同時にユーザの頭部の表面（外面）にある（存在している）生体信号の典型的な強度と比較される時である。頭部またはそれと同時に顔で検波され得る様々な生体信号は、異なる発振周波数によって識別（特徴付け）されるけれども、重複する傾向があり、したがって、詳細に識別（区別）できない一種の背景「雑音（ノイズ）」を時には決定する。
【００４２】
電子モジュール内に集積（一体化）された１つのソフトウェアは、需要（人気）のある生体信号を「識別すること」、他の付随する信号に関してそれを認識すること、および、次の処理のためにそれを解釈することで過酷な負荷をかけられている。しかしながら、場合によっては、ソフトウェアは、著しく高い強度および精度をもつ検出電気信号の形で、一組のデータを要求でき、皮膚から電子モジュールに接続された電気回路まで、生体信号の極めて有効な電送（電気的な送信）が結果として必要となる。
【００４３】
皮膚との境界面に対して電気が送信される効率は、エラストマーの電気伝導度の程度と、皮膚とエラストマーセンサとの間での接触面の範囲との両方に依存するので、センサと皮膚との間の接触面の増大により、すなわち、前記センサの形状および／または寸法の変形により信号検出の質を高めることが出来なくなると、前記センサの第一表面層の電気伝導性の程度を著しく増加させることを可能にする解決策が用いられる。
【００４４】
ひとたび顔または頭部の皮膚上で検波可能である信号がバイオセンサの電気表面伝導性のより大きな程度による明確な方法で拾い上げ（集め）られると、前記信号はその時に（それから）導電性エラストマーからなる部品（構成要素）の容量（体積）内の導電性を用いてフレームの内側の電気回路に伝送（送信）され、前記容量は外側のより高い導電性の層と、フレームの内側の電気回路への信号の通路に代表として派遣される、センサの内側の導体との間に介在されている。
【００４５】
導電性エラストマーからなるバイオセンサの電気表面伝導性の程度（度合い）の起こり得る増大に対する好適な解決策には、電導性被覆（コーティング）、例えば、導電性インクまたはニス（光沢塗装膜）の使用が必然的に含まれる。
【００４６】
その技術分野で容易に利用可能であるために、この製品は、種々の代替的な定式化または構成で利用可能であり、種々の可能な応用（アプリケーション）の方式（やり方）を有している。要件に応じて、その種（タイプ）の被覆に加えて、バイオセンサの全表面を導電性被覆で覆うか否か、または、皮膚と直接的に接触するとともに電気表面導電性のより高い程度をも必要とする、バイオセンサの表面の部分のみを目標とされる方法で覆うことにより当該被覆をセンサの丁度一部に利用するか否かを選択することも可能である。
【００４７】
本発明によれば、上記のタイプのセンサは、側面６の一方または両方にも設けられている。
【００４８】
その鏡面対称により、両側面のうち一方のみが詳述されるでしょう。
【００４９】
図１３〜図１６を詳細に参照して、各側面６は、端部側方部６ｂへ延びる前方端片でヒンジ留め（枢着）のために設けられた側面本体６ａを備えており、側面が横で頭部に寄り掛かっている場合に耳の後方ゾーン（区域）内の頭部と接触するセンサ２５が端部側方部６ｂ内に一体化されている。
【００５０】
端部側方部６ｂは、側面本体に連結された共有端部２７から延びる一対の分岐２６ａ、２６ｂを有するように設計されており、前記分岐は、お互いから一定の間隔を置いて配置されるように側面の伸長（延長部分）の長手方向へ延びている。閉輪郭（閉外形）を有する溝付き貫通開口２８が分岐の間に規定された構成では、分岐２６ａ、２６ｂは同様に、端部２７に向かい合っている（対向している）端部側方部６ｂの自由端で互いに連結（接続）されている。
【００５１】
分岐のうち一方、好適には（頭部との接触の際に耳からより遠方の鉛直方向へ離れた）上方分岐２６ａには、有利には、側面のコア３０を収容するための内部キャビティ２９が設けられており、当該コアは、導電性金属材料からなり、または導電性金属材料で被覆されている。
【００５２】
単なる一例として、コア３０が鋼からなり、その後に、亜鉛メッキを用いて蒸着（付着）された導電性金属層で覆われ（被覆され）ることは有利である。
（分岐２６ａ、２６ｂを備える）端部側方部６ｂは、同様に、導電性を有して弾性的に撓みやすい材料、例えば、導電性エラストマーまたはゴムからなる。
【００５３】
導電性材料は、皮膚上で検出され得る電位に敏感であり（反応され）、電気信号または電位は、導電性エラストマー材から導電性として機能を果たす金属コアへ伝送（送信）される。
【００５４】
端部側方部の端部２７において、内方（内側）コア３０は、側面本体６ａへの挿入のために肢３１に延びている。前記肢３１を用いて、コア３０は、同様に、側面本体６ａ内に設けられたハウジング３３に収容されている（図２４で図式的に示された）モジュールまたは電子回路３２に電気的に接続されている。
【００５５】
図１４に示すように、挿入肢３１は、電子モジュール３２との電気的な接続のためにハウジング３３内に突出するように延びている。
【００５６】
側面の寸法以内に規定されたままである前記ハウジング３３は、側面（ユーザの頭部に対向する側面）の内側に開口されており、着脱自在に結合され得る閉鎖（閉塞）カバー３４を設けられている。
【００５７】
一実施の形態において、両側面のうち一方におけるハウジング３３は、電子モジュールを収容するために意図されているのに対し、他方の側面に形成されたハウジングは、電子モジュールおよびセンサに電気を供給するバッテリ（電池）４５を収容するために意図されている。バッテリ４５は、好ましくは、再充電可能かつ取り外し不可能なバッテリである。代替としては、それは着脱自在なバッテリであってもよい。加えて、それは再充電不可能なバッテリであってもよく、その場合には、それは、ひとたび放電されると、それを交換するために取り外さなければならない。
【００５８】
両側面のうち一方に形成されたハウジングが電気を供給するバッテリを収容するために意図されているならば、前記側面におけるコア３０の形状および寸法は、他方の側面におけるコア３０の形状および寸法と同一であり、他方の側面のハウジングは、電子モジュールを収容するように意図されている。このことはまた、特に、コアの肢３１に対する実例（場合）であり、２つの側面の両方のコアに対しても同一である。
【００５９】
実際に、バッテリを収納するように意図された側面の場合、コア３０の挿入肢３１はまた、第２電子回路４６に電気的に接続されるためにハウジング３３内に突出するように延びており、その第２電子回路は、対応する側面に収容された主回路または電子モジュール３２よりも小さな寸法および少ない機能によって特徴付けられている。要するに、第２電子回路４６の唯一の機能は、前記側面で用いられたセンサから生じる電子信号を検出すること、この信号を（以下で詳述される）フレーム（Ｐｌｅｘ  ＰＣＢ）内の電気回路に送信すること、および、前記電気回路がバッテリに接続されるのを許容することである。
【００６０】
図２４において、側面のヒンジ留めされた側に対向する一端部３２ａと、端部側方部の側に対向するとともに挿入肢３１に重なって電気的に接触可能である対向端部３２ｂとは、モジュールまたは電子回路３２内に設置（位置決め）されている。
【００６１】
図２５において、電気を供給するバッテリ４５は、（電気的な接続によって）電子回路４６に連結されるように示されている。符号４６ａは、挿入肢３１に重なって電気的に接続可能である、端部側方部の側に対向する回路の自由端部を示す。その代わりに、符号４５ａは、側面のヒンジ留めされた側に対向する（自由端部４６ａの長手方向の反対側にある）バッテリ４６の端部を示す。
【００６２】
しかしながら、他の構成は可能である。対応する両側面における一方のハウジングまたは他方のハウジングが、電子モジュールまたはバッテリに加えてまたは代えて、センサによって検出される信号を管理または伝送（送信）するための他のデバイス（装置）または構成（部品）を収容するように規定されてもよい。
【００６３】
予め選択された金属材料の特徴とコア３０の全体幾何的形状寸法との両方によれば、前記コアは可塑的に変形可能であり、その結果、メガネの快適で安定した適合性（フィット感）のため当該形状をユーザの頭部に適応させるために、端部側方部６ｂを「調節可能」にすなわち格好よくしている。
【００６４】
実際には、端部側方部６ｂが適応手順にさらされると、コア３０は可塑的に変形しその新規な形状を維持する傾向がある一方、コアを含むエラストマー（またはゴム）は、その代わりに弾性的に撓むことにより弾性的に変形する傾向があり、その結果、コアの新規な折り畳まれた形状に追従し、コアの剛性（不撓性）によって想定される新規な形状に拘束される。
【００６５】
端部側方部６ｂの溝付き形状により、他方の分岐から一定距離を置いて配置されるとともに金属コアの存在によって影響を及ぼされない下方分岐２６ｂは、上方分岐２６ａよりも大きな範囲まで弾性的に変形可能である。この変形可能性の程度は、耳への支持装置のできるだけ最高（ベスト）な適合性を考慮し、こうして、メガネの安全かつ信頼できる電気的接触と、メガネの適切な全体的嵌め合い（装着）の心地良さとを保証している。
【００６６】
端部側方部６ｂは、射出成形の技術を使って形成されており、上方分岐２６ａは、成形ステップにおいて金属コア３０にオーバーモールドされている。
【００６７】
各側面６を作るための好適な方法は、第１ステップでは、挿入肢３１に係合するコア３０の端部へのオーバーインジェクション（過度射出）と一緒に、硬質プラスチック材料の射出成形により作り出されることを規定している。次の第２方法ステップでは、導電性エラストマー材からなる端部側方部６ｂは、コア３０の残りの部分にオーバーモールドされ、その結果、端部側方部の分岐２６ａ、２６ｂが、このステップで形成される。
【００６８】
電子モジュール（またはバッテリ）をセンサに電気的に接続するために、および、センサ、特に、鼻支持装置８に設置されたセンサによって検知される信号を電気的に送信するために、プリント回路基板として形成され「Ｆｌｅｘ  ＰＣＢ」（可撓性のプリント回路基板）として技術分野では公知である電気回路が使用されている。この回路の各部分は、図に示される場合には、符号３５によって示される。
【００６９】
回路３５の一部は、フレーム２の最前部（フロント）であってブリッジ領域に沿って延びるレンズ保持リム３の上部に係合する部分の内側に収容されており、前記回路の一部は、側面の対応ハウジング３２の内側に達するまで、側面と前方端片との間のヒンジ留めされたゾーンの内側に収容されている。
【００７０】
フレーム上の回路３５を収容するために、前記フレームの内方側には、リム３内および前方端片７内に作られたそれぞれの台座３６が設けられており、前記台座は、フレーム部分に沿って延びる回路３５を隠すようにそれぞれの閉鎖挿入物３７に連結されている。
【００７１】
ひとたび各挿入物３７がその側面をフレームの最前部に対向した状態でその最前部自体に適用されると、その挿入物は、前記挿入物の全長に亘って、鼻支持装置に隣接する端縁（エッジ）からヒンジに隣接する端縁まで広がるレンズを保持するための内方溝３７ａすなわち「小さい経路［チャンネル］」の形成にどのように寄与するかが注意される。
【００７２】
「Ｕ字状」の輪郭によって典型的に特徴付けられ最前部の内側でレンズの外方端縁（エッジ）を収容および保持できる、レンズ用の「小さな経路」の断面は、図３Ａで目に見える。
【００７３】
図１９および図２０は、ブリッジ５と側面におけるハウジングとの間のフレーム内に収容された（点線で示された）回路３５を図式的に示し、当該回路は、フロントフレームから側方面へ中断せずに延びて（広がって）いる。図２２および図２６はその全体（全般）的に好適な実施形態におけるフレキシブル回路３５の詳細図であるのに対し、図２３は前記回路の部分的かつ概略的な図を示している。
【００７４】
回路３５の通路（出入口）を許容するための凹部または溝３８は、側面のハウジング３３に挿入されるまで、側面のヒンジ留めされたゾーン内にも設けられている。
【００７５】
符号３９、４０は、挿入物３７およびカバー３４の端部からそれぞれ突出するタブ（ツメ）も示しており、そのタブは、互いに対向するとともに、回路３５との重なりによって、ヒンジ留めされたゾーン（図２１、２２）内の前記回路を更に隠すためにも使用されている。図２１で詳細に示されるように、このゾーン内では、回路３５は、前方端片と側面との間の通路内にヒンジネジに対して内部位置にあり、こうして、メガネを装着した時にヒンジネジとユーザの顔との間に置かれ（介在され）ている。
【００７６】
鼻支持装置８内に一体化された回路３５とセンサ１０ａ、１１ａ、１２との間で電気的接触を確立するために、導電性材料からなるそれぞれのカバーは、センサと回路のそれぞれの導電性トラック（通路、軌道）との間で電気的接触を確立するのに適している対応位置に設けられているのに対し、構造形（形状）は、センサと、互いに接続されている対応導電性トラックとが相互に電気的に絶縁されることをも保証している。
【００７７】
図２３は、Ｆｌｅｘ  ＰＣＢ回路３５における実施の形態の概略的な図であり、当該回路は、鼻支持装置のセンサ１０ａ、１１ａ、１２を電気的に接続する中央ゾーン４１を備えており、前記センサは、中央ゾーンから対向面に２本のそれぞれの導電性ライン４２、４３を展開しており、ライン４２は、両側方面のうち１つに収容されるとともに電気を供給するバッテリに向けて方向付けられており、ライン４３は、その代わりに、他の側方面に収容された電子モジュール３２に向けて方向付けられている。
【００７８】
回路の中央ゾーン４１は、フレーム内の凹部２ａであってフレームワーク９を収容する凹部とフレームワーク９自身との間に置かれるために設けられている。電気的接触を確実にするために、導電性材料（例えば金）で覆われるとともに符号１０ａ′、１１ａ′、１２′で示され、かつ、ハッチングによって図式的に示されたゾーンはそれぞれ、センサ１０ａ、１１ａ、１２との直接接触のために設けられている。図２３において一部分だけ示された導電性部分は、電気信号を伝導する（行う）ために回路内に一体化され、互いから適宜に絶縁されている。
【００７９】
従って、フレームワーク９をフレーム２に固定することによって、電気的接触は、信号を正しく伝導するために鼻センサと電気回路３５との間で確立されている。
【００８０】
符号４４は、電子モジュール３２に電気的に接続され得る回路の導電性ライン４３の端部に形成された電気的接触を表すとともに図式的にのみ示している。
【００８１】
取付（装着）および製造をより容易にするために、図２３で示された回路３５は、好ましくは、２つの分離片で形成されてもよく、その分離片は、ひとたびフロントフレームに適用されると、（図２３で示された中心軸によって示される最前部の正中で）お互いに電気的に接続される。
【００８２】
符号５０は、電子モジュール３２に設けられるとともに、カバー３４内に作られた対応貫通孔５１を用いて電気接続のために利用可能である電気接点（接触）を示しており、前記接点は、外部電子デバイス（例えば外部電源または他の追加電子装置）を使って電気接続を形成している。
【００８３】
符号５２は、ハウジング内への電子モジュールの装着を容易にするために、ハウジング３３内で直立姿勢であるとともに、電子モジュール３２内に作られた対応開口に係合するために設けられた接続（連結、結合）ピンまたはセンタリングピンを示している。
【００８４】
本発明は、設定された目的を満たし（満足させ）、それにより、周知の解決策に関して前述の利点を達成する。
【００８５】
１つの主要な利点は、本発明のメガネにより、フレーム内に一体化されたバイオセンサを、顔との局所的な電気的接触に関してより効率的かつ信頼できるようにすることを可能にし、それによって、メガネと頭部との間の物理的な接触に関して理にかなった快適さ（心地良さ）と嵌め合い適合性とを確保することである。
【図１】
2020502589.tif 000003
【図１Ａ】
2020502589.tif 000004
【図２】
2020502589.tif 000005
【図３】
2020502589.tif 000006
【図３Ａ】
2020502589.tif 000007
【図４】
2020502589.tif 000008
【図５】
2020502589.tif 000009
【図６】
2020502589.tif 000010
【図７】
2020502589.tif 000011
【図８】
2020502589.tif 000012
【図９】
2020502589.tif 000013
【図１０】
2020502589.tif 000014
【図１１】
2020502589.tif 000015
【図１２】
2020502589.tif 000016
【図１３】
2020502589.tif 000017
【図１４】
2020502589.tif 000018
【図１４Ａ】
2020502589.tif 000019
【図１５】
2020502589.tif 000020
【図１６】
2020502589.tif 000021
【図１７】
2020502589.tif 000022
【図１８】
2020502589.tif 000023
【図１９】
2020502589.tif 000024
【図２０】
2020502589.tif 000025
【図２１】
2020502589.tif 000026
【図２２】
2020502589.tif 000027
【図２３】
2020502589.tif 000028
【図２４】
2020502589.tif 000029
【図２５】
2020502589.tif 000030
【図２６】
2020502589.tif 000031
【手続補正書】
【提出日】令和1年8月16日(2019.8.16)
【手続補正１】
【補正対象書類名】特許請求の範囲
【補正対象項目名】請求項８
【補正方法】変更
【補正の内容】
【請求項８】
請求項４〜６のいずれか一項に記載のメガネにおいて、前記フレームワーク（９）と前記第１、第２、および第３センサ（１０ａ、１１ａ、１２）は、射出成形を用いて別々に作られ、前記センサは、前記フレームワークの前記アーム（１３）のそれぞれの前記第１および第２部（１８、１９）が相当に確動的な嵌め合いで通過可能である管状のキャビティを規定する貫通開口（２３）をそれぞれ有する、メガネ。
【国際調査報告】
2020502589.tif 000032
2020502589.tif 000033